(57)【特許請求の範囲】
【請求項１】
移動端末と、無線基地局を制御する無線基地局制御装置に接続されたコアネットワークと、次世代無線基地局に接続され、前記次世代無線基地局からフォワーディングされてきたデータを前記コアネットワークへ送信する次世代コアネットワークとを有し、前記次世代コアネットワークは、前記次世代無線基地局を介して前記移動端末へ送信するデータに対して秘匿処理を行う秘匿手段を具備する移動通信システムにおいて、
前記秘匿手段は、前記次世代無線基地局からフォワーディングされたデータに対して秘匿解除処理を行うことを特徴とする移動通信システム。
【請求項２】
請求項１に記載の移動通信システムにおいて、
前記次世代無線基地局は、前記移動端末との間にて送達確認が取れていないデータをフォワーディングすることを特徴とする移動通信システム。
【請求項３】
無線基地局を制御する無線基地局制御装置に接続されたコアネットワークと次世代無線基地局とに接続され、前記次世代無線基地局へ送信するデータに対して秘匿処理を行う秘匿手段を具備し、前記次世代無線基地局からフォワーディングされてきたデータを前記コアネットワークへ送信する次世代コアネットワークにおいて、
前記秘匿手段は、前記次世代無線基地局からフォワーディングされたデータに対して秘匿解除処理を行うことを特徴とする次世代コアネットワーク。
【請求項４】
移動端末と、無線基地局を制御する無線基地局制御装置に接続されたコアネットワークと、次世代無線基地局に接続され、前記次世代無線基地局からフォワーディングされてきたデータを前記コアネットワークへ送信する次世代コアネットワークとを有し、前記次世代コアネットワークは、前記次世代無線基地局を介して前記移動端末へ送信するデータに対して秘匿処理を行う移動通信システムにおけるハンドオーバー方法であって、
前記次世代コアネットワークが、前記次世代無線基地局からフォワーディングされたデータに対して秘匿解除処理を行う処理と、
前記次世代コアネットワークが、前記秘匿解除処理されたデータを前記コアネットワークへ送信する処理とを有するハンドオーバー方法。
【請求項５】
請求項４に記載のハンドオーバー方法において、
前記次世代無線基地局が、前記移動端末との間にて送達確認が取れていないデータをフォワーディングする処理を有することを特徴とするハンドオーバー方法。
【発明の詳細な説明】
【技術分野】
【０００１】
本発明は、移動通信システム、次世代コアネットワーク及びこれらにおけるハンドオーバー方法に関し、特に、次世代移動通信システム（Ｂ３Ｇ）のネットワークから現行の３ＧＰＰのネットワークへ移動端末が移動するための移動通信システム、次世代コアネットワーク及びこれらにおけるハンドオーバー方法に関する。
【背景技術】
【０００２】
近年、３ＧＰＰにて標準化されている移動体通信ネットワーク（以下、３Ｇネットワークと称する）が急速に普及されてきている。【０００３】
図１は、従来の３Ｇネットワークの構成を示す図である。【０００４】
図１に示すように従来の３Ｇネットワークは、ＣＮ（Core  Network）１００１と、ＣＮ１００１とＩｕインタフェースを介して接続されるＵＴＲＡＮ（UMTS  Terrestrial  Radio  Access  Network）１００２とから構成されている。ＵＴＲＡＮ１００２は、複数のＲＮＳ（Radio  Network  Subsystem）１００３，１００４から構成される。さらに、ＲＮＳ１００３は、無線基地局制御装置であるＲＮＣ（Radio  Network  Controller）１００５と、複数の無線基地局であるＮｏｄｅ  Ｂ１００７，１００８とから構成されている。また、ＲＮＳ１００４も同様に、ＲＮＣ１００６と、複数のＮｏｄｅ  Ｂ１００９，１０１０とから構成されている。ＲＮＣ１００５とＲＮＣ１００６とは、Ｉｕｒインタフェースを介して接続されている。また、ＲＮＣ１００５と、Ｎｏｄｅ  Ｂ１００７及びＮｏｄｅ  Ｂ１００８とはＩｕｂインタフェースを介してそれぞれ接続されている。同様に、ＲＮＣ１００６と、Ｎｏｄｅ  Ｂ１００９及びＮｏｄｅ  Ｂ１０１０とはＩｕｂインタフェースを介してそれぞれ接続されている。ここで、ＲＮＳ１００３，１００４や、ＲＮＣ１００５，１００６や、Ｎｏｄｅ  Ｂ１００７〜１０１０の数については、図１に示した数に限らない。【０００５】
図１に示したＲＮＣ１００５，１００６のＲＬＣ層またはＭＡＣ層にて、移動端末であるＵＥ（User  Equipment）へ送信されるユーザデータである下りデータについて秘匿処理が行われる。この秘匿機能は、制御データ及びユーザデータが無線区間にて不当に傍受されることを防ぐために、ユーザ毎に設定された秘匿キー及び秘匿用のアルゴリズムを用いて、制御データ及びユーザデータを暗号化することにより実施されている。【０００６】
また、３Ｇネットワーク同士のLossless  SRNS  Relocation手順では、ＵＥが、あるＲＮＣ配下のセルから別のＲＮＣ配下のセルへ移動する際に、移動元のＲＮＣが保持している下りデータのうち、ＵＥにおける送達確認（ＡＣＫ）が取れていない下りデータを移動先ＲＮＣにフォワーディングする機能が規定されている。フォワーディング機能は、秘匿機能より上位レイヤのＰＤＣＰプロトコルにて実行されるため、フォワーディングされる下りデータについては秘匿処理が施されていない。したがって、移動先ＲＮＣにてフォワーディングされた下りデータとＣＮから送信されて受信された下りデータとを同様に扱うことができる。【０００７】
さらに近年において、３ＧＰＰにおけるユーザデータのスループット向上、呼接続遅延及びユーザデータの転送遅延の減少、ノード数の削減、標準化の必要なインタフェースの削減などを目的として、ＬＴＥ（Long  Term  Evolution）およびＳＡＥ（System  Architecture  Evolution）という名称で、次世代移動体通信ネットワーク（以下、Ｂ３Ｇネットワークと称する）の検討が行われている。【０００８】
図２は、近年検討されているＢ３Ｇネットワークの構成を示す図である。【０００９】
図２に示すように近年検討されているＢ３Ｇネットワークは、Ｅｖｏｌｖｅｄ  ＣＮ１１０１と、ＥＵＴＲＡＮ１１０２とから構成されている。さらに、ＥＵＴＲＡＮ１１０２は、複数の次世代無線基地局であるｅ  Ｎｏｄｅ  Ｂ１１０３，１１０４とから構成されている。ここで、ｅ  Ｎｏｄｅ  Ｂ１１０３，１１０４の数については、図２に示した数に限らない。【００１０】
図２に示したＢ３Ｇネットワークにおいては、ｅ  Ｎｏｄｅ  Ｂ１１０３，１１０４に、図１に示した３ＧネットワークのＲＮＣ１００５，１００６が有するＲＬＣ及びＭＡＣなどのプロトコル処理が配置されることも検討されている。その場合、セキュリティの観点からユーザデータの秘匿機能をｅ  Ｎｏｄｅ  Ｂ１１０３，１１０４に配置することは好ましくないとされ、秘匿機能をＥｖｏｌｖｅｄ  ＣＮ１１０１に配置することが検討されている。【００１１】
図３は、図１に示した３Ｇネットワークと、図２に示したＢ３Ｇネットワークとが接続された構成を示す図である。【００１２】
図３に示すように、ＣＮ１００１とＥｖｏｌｖｅｄ  ＣＮ１１０１とが接続されることにより、図１に示した３Ｇネットワークと図２に示したＢ３Ｇネットワークとが接続されている。そして、Ｂ３Ｇネットワークから３ＧネットワークへＵＥ１２０１が移動している。また、各ネットワークにおける秘匿機能は、３ＧネットワークにおいてはＲＮＣ１００５に、また、Ｂ３ＧネットワークにおいてはＥｖｏｌｖｅｄ  ＣＮ１１０１に配置されている。【００１３】
Ｂ３Ｇネットワークにおいて、３ＧネットワークのＲＮＣ１００５に相当する機能を有するノードはｅ  Ｎｏｄｅ  Ｂ１１０３，１１０４である。そのため、図３に示すように、ＵＥ１２０１がＢ３Ｇネットワークから３Ｇネットワークへ移動している場合、移動元ｅ  Ｎｏｄｅ  Ｂ１１０３，１１０４から移動先ＲＮＣ１００５へ、下りデータをフォワーディングする方法が考えられる。【００１４】
また、異なるネットワーク間のハンドオーバーについては、上位装置にてハンドオーバーのタイミングを制御して、無線基地局から送信されたデータを処理する特定局を切り替える方法が考えられている（例えば、特許公開２００５−２６０４３５号公報参照。）。【００１５】
しかしながら、上述した方法においては、以下に述べる問題点がある。【００１６】
Ｂ３Ｇネットワークでは、Ｅｖｏｌｖｅｄ  ＣＮに下りデータに対する秘匿機能が配置されているため、ｅ  Ｎｏｄｅ  Ｂが保持している下りデータは秘匿済みのものである。したがって、ｅ  Ｎｏｄｅ  Ｂから当該下りデータが３Ｇネットワークの移動先ＲＮＣにフォワーディングされると、既にＥｖｏｌｖｅｄ  ＣＮにて秘匿済みの下りデータが、移動先ＲＮＣにて受信されてしまう。現在、標準化されているＲＮＣでは、既に秘匿されているデータがフォワーディングされてくることを想定していない。したがって、フォワーディングされた下りデータが移動先ＲＮＣにて再び秘匿されてしまうという問題点がある。また、ＵＥでは３Ｇネットワークへ移動しているにもかかわらず、ネットワーク内でＲＮＣにフォワーディングされた下りデータとＣＮから直接ＲＮＣに送信された下りデータとを判別して、フォワーディングされた下りデータにＢ３Ｇネットワーク特有の秘匿解除を実行しなければならないという問題点がある。さらに、秘匿アルゴリズムによっては、ＵＥが３Ｇネットワークへ移動した後であっても、秘匿解除のためにＥｖｏｌｖｅｄ  ＣＮと通信しなければならないという問題点がある。【００１７】
また、特許公開２００５−２６０４３５号公報に記載された方法においては、秘匿機能によって暗号化された下りデータのフォワーディングについては考慮されていない。
【発明の開示】
【００１８】
本発明は、上述したような課題を解決するため、移動端末がＢ３Ｇネットワークから３Ｇネットワークへの移動の際に、容易に秘匿済みの下りデータがフォワーディングできる移動通信システム、次世代コアネットワーク及びこれらにおけるハンドオーバー方法を提供することを目的とする。
【００１９】
上記目的を達成するために本発明は、
移動端末と、無線基地局を制御する無線基地局制御装置に接続されたコアネットワークと、次世代無線基地局に接続され、前記次世代無線基地局からフォワーディングされてきたデータを前記コアネットワークへ送信する次世代コアネットワークとを有し、前記次世代コアネットワークは、前記次世代無線基地局を介して前記移動端末へ送信するデータに対して秘匿処理を行う秘匿手段を具備する移動通信システムにおいて、
前記秘匿手段は、前記次世代無線基地局からフォワーディングされたデータに対して秘匿解除処理を行うことを特徴とする。
【００２０】
また、前記次世代無線基地局は、前記移動端末との間にて送達確認が取れていないデータをフォワーディングすることを特徴とする。
【００２１】
また、無線基地局を制御する無線基地局制御装置に接続されたコアネットワークと次世代無線基地局とに接続され、前記次世代無線基地局へ送信するデータに対して秘匿処理を行う秘匿手段を具備し、前記次世代無線基地局からフォワーディングされてきたデータを前記コアネットワークへ送信する次世代コアネットワークにおいて、
前記秘匿手段は、前記次世代無線基地局からフォワーディングされたデータに対して秘匿解除処理を行うことを特徴とする。
【００２２】
また、移動端末と、無線基地局を制御する無線基地局制御装置に接続されたコアネットワークと、次世代無線基地局に接続され、前記次世代無線基地局からフォワーディングされてきたデータを前記コアネットワークへ送信する次世代コアネットワークとを有し、前記次世代コアネットワークは、前記次世代無線基地局を介して前記移動端末へ送信するデータに対して秘匿処理を行う移動通信システムにおけるハンドオーバー方法であって、
前記次世代コアネットワークが、前記次世代無線基地局からフォワーディングされたデータに対して秘匿解除処理を行う処理と、
前記次世代コアネットワークが、前記秘匿解除処理されたデータを前記コアネットワークへ送信する処理とを有する。
【００２３】
また、前記次世代無線基地局が、前記移動端末との間にて送達確認が取れていないデータをフォワーディングする処理を有することを特徴とする。
【００２４】
上記のように構成された本発明においては、次世代コアネットワークが有する、次世代無線基地局を介して移動端末へ送信するデータに対して秘匿処理を行う秘匿手段にて、次世代無線基地局からフォワーディングされてきたデータに対して秘匿解除処理が行われ、秘匿解除処理が行われたフォワーディングデータが次世代コアネットワークからコアネットワークへ送信される。
【００２５】
これにより、既存のコアネットワーク及びコアネットワーク配下の装置において、フォワーディングされたデータを処理するための手順の変更が不要となる。
【００２６】
以上説明したように本発明においては、次世代コアネットワークが有する、次世代無線基地局を介して移動端末へ送信するデータに対して秘匿処理を行う秘匿手段にて、次世代無線基地局からフォワーディングされてきたデータに対して秘匿解除処理を行い、秘匿解除処理が行われたフォワーディングデータを次世代コアネットワークからコアネットワークへ送信する構成としたため、容易に秘匿済みの下りデータがフォワーディングできる。
【図面の簡単な説明】
【００２７】
【図１】従来の３Ｇネットワークの構成を示す図である。
【図２】近年検討されているＢ３Ｇネットワークの構成を示す図である。
【図３】図１に示した３Ｇネットワークと、図２に示したＢ３Ｇネットワークとが接続された構成を示す図である。
【図４】本発明の移動通信システムの実施の一形態を示す図である。
【図５】図４に示した移動通信システムにおけるハンドオーバー方法を説明するためのシーケンス図である。
【図６】図４に示した移動通信システムにおけるハンドオーバー方法の他の方法を説明するためのシーケンス図である。
【発明を実施するための最良の形態】
【００２８】
以下に、本発明の実施の形態について図面を参照して説明する。【００２９】
図４は、本発明の移動通信システムの実施の一形態を示す図である。【００３０】
本形態は図４に示すように、次世代コアネットワークであるＥｖｏｌｖｅｄ  ＣＮ１１１と、ＥＵＴＲＡＮ１１２とがＢ３Ｇネットワークに設けられている。また、コアネットワークであるＣＮ１０１と、ＵＴＲＡＮ１０２とが３Ｇネットワークに設けられている。また、Ｅｖｏｌｖｅｄ  ＣＮ１１１とＣＮ１０１とが接続されている。そして、移動端末であるＵＥ１２１がＢ３Ｇネットワークから３Ｇネットワークへ移動している。【００３１】
さらに、Ｅｖｏｌｖｅｄ  ＣＮ１１１には、秘匿部１１５が設けられている。また、ＥＵＴＲＡＮ１１２には、複数の次世代無線基地局であるｅ  Ｎｏｄｅ  Ｂ１１３，１１４が設けられている。さらに、ｅ  Ｎｏｄｅ  Ｂ１１３，１１４には、フォワード部１３３，１３４がそれぞれ設けられている。また、ＵＴＲＡＮ１０２にはＲＮＳ１０３が設けられており、さらにＲＮＳ１０３には、無線基地局制御装置であるＲＮＣ１０５と、複数の無線基地局であるＮｏｄｅ  Ｂ１０７、１０８とが設けられている。さらに、ＲＮＣ１０５には、秘匿部１２５が設けられている。【００３２】
秘匿部１１５は、ＥＵＴＲＡＮ１１２を介してＵＥ１２１へ送信する下りデータに対して秘匿処理を実施し、また、フォワード部１３３，１３４からフォワーディングされてきた下りデータに対して秘匿解除処理を実施する。また、ｅ  Ｎｏｄｅ  Ｂ１１３，１１４は、３ＧネットワークのＲＮＣ１０５とＮｏｄｅ  Ｂ１０７，１０８とに相当する機能を統合したノードである。また、フォワード部１３３，１３４は、ｅ  Ｎｏｄｅ  Ｂ１１３，１１４が有している下りデータのうち、ハンドオーバーの際にＵＥ１２１からＡＣＫが返送されてきていない、つまり送達確認が取れていない下りデータを３Ｇネットワークへフォワーディングする。【００３３】
秘匿部１２５は、Ｎｏｄｅ  Ｂ１０７，１０８を介してＵＥ１２１へ送信する下りデータに対して秘匿処理を実施する。【００３４】
また、秘匿部１１５，１２５にて秘匿処理された下りデータは、ＵＥ１２１にて秘匿解除処理が行われる。【００３５】
ここで、ｅ  Ｎｏｄｅ  Ｂ１１３，１１４及びＮｏｄｅ  Ｂ１０７、１０８の数については、図４に示したものに限らない。【００３６】
以下に、図４に示した移動通信システムにおけるハンドオーバー方法について説明する。ここで、図４に示したＵＥ１２１は、ｅ  Ｎｏｄｅ  Ｂ１１４がカバーするエリアからＮｏｄｅ  Ｂ１０７がカバーするエリアに移動しているものとする。また、３ＧネットワークとＢ３Ｇネットワークとの間にてソフトハンドオーバーの処理は行われないものとする。【００３７】
図５は、図４に示した移動通信システムにおけるハンドオーバー方法を説明するためのシーケンス図である。【００３８】
まず、上位装置（不図示）から送信されたＵＥ１２１宛ての下りデータであるパケット１１〜１４がステップ１にてＥｖｏｌｖｅｄ  ＣＮ１１１において受信されると、受信されたパケット１１〜１４に対して所定の秘匿処理がステップ２にて行われる。ここで、パケット１１〜１４には、データの順序を示すためにシーケンシャルに振られたシーケンス番号がそれぞれ付与されている。【００３９】
秘匿処理が完了すると、秘匿処理されたパケット１１〜１４がステップ３にてＥｖｏｌｖｅｄ  ＣＮ１１１からｅ  Ｎｏｄｅ  Ｂ１１４へ送信される。【００４０】
ｅ  Ｎｏｄｅ  Ｂ１１４にてパケット１１〜１４が受信された後、受信されたパケット１１〜１４がｅ  Ｎｏｄｅ  Ｂ１１４にバッファリングされる。このバッファリングは、再送処理に備えたものであり、ＵＥ１２１とｅ  Ｎｏｄｅ  Ｂ１１４との間にて下りデータの送達確認が取れた際にクリアされる従来の機能と同様のものである。【００４１】
そして、ｅ  Ｎｏｄｅ  Ｂ１１４にバッファリングされたパケット１１〜１４のうちパケット１１〜１３がステップ４にてＵＥ１２１へ送信される。通常、バッファリングされたパケット１１〜１４がＵＥ１２１へ送信されるが、ここでは、動作の説明の便宜上、パケット１１〜１３がＵＥ１２１へ送信され、パケット１４が未送信の時点を例に挙げて説明する。【００４２】
ｅ  Ｎｏｄｅ  Ｂ１１４から送信されたパケット１１〜１３のうち、正常にＵＥ１２１にて受信されたパケットについての送達確認を示す信号であるＡＣＫが、ステップ５にてＵＥ１２１からｅ  Ｎｏｄｅ  Ｂ１１４へ送信される。このＡＣＫは、送達確認が取れたパケットに付与されたシーケンス番号が認識できるようになっている。これは、従来の３ＧネットワークにおけるＡＣＫの処理と同様であり、３ＧＰＰの勧告に記載されている方法によりシーケンス番号が示されているものである。また、ここでは、ｅ  Ｎｏｄｅ  Ｂ１１４から送信されたパケット１１〜１３のうち、パケット１１〜１２の送達確認が取れたものとし、パケット１３については何らかの原因でＵＥ１２１にて正常に受信されなかったものとする。【００４３】
また、このとき、Ｂ３Ｇネットワークから３Ｇネットワークへ移動しているＵＥ１２１が、ハンドオーバー状態になったことが、ＵＥ１２１及びｅ  Ｎｏｄｅ  Ｂ１１４にて認識され、ステップ６にて３Ｇネットワークへの移動（ハンドオーバー）が決定されてハンドオーバー手順が実行される。【００４４】
そして、ＵＥ１２１から送信されてｅ  Ｎｏｄｅ  Ｂ１１４にて受信されたＡＣＫに基づいて、ｅ  Ｎｏｄｅ  Ｂ１１４にバッファリングされているにもかかわらずＵＥ１２１に送達していないパケットが、ｅ  Ｎｏｄｅ  Ｂ１１４のフォワード部１３４にて認識される。フォワード部１３４にてＵＥ１２１に送達されていないと認識されたパケットが、ステップ７にてフォワード部１３４からＥｖｏｌｖｅｄ  ＣＮ１１１へ送信される。ここでは、ＡＣＫにはパケット１１〜１２がＵＥ１２１にて受信された旨が示されているため、パケット１３〜１４がフォワード部１３４からＥｖｏｌｖｅｄ  ＣＮ１１１へ送信される。その後、ステップ８にてハンドオーバー手順が完了し、ＵＥ１２１と移動先である３Ｇネットワークとの間において通信が確立される。このハンドオーバー手順については、従来の手順と同様であるため、ここでは詳細は記述しない。【００４５】
フォワード部１３４からＥｖｏｌｖｅｄ  ＣＮ１１１へ送信されたパケット１３〜１４については、ステップ９にてＥｖｏｌｖｅｄ  ＣＮ１１１の秘匿部１１５において秘匿が解除される。特に、暗号アルゴリズムが秘密鍵方式である場合、この秘匿解除処理には暗号化した鍵がそのまま使用されることが可能である。【００４６】
そして、秘匿が解除されたパケット１３〜１４は、ステップ１０にてＥｖｏｌｖｅｄ  ＣＮ１１１からＣＮ１０１を介してＲＮＣ１０５へ送信される。その際、送信されるパケット１３〜１４には、送信元がＥｖｏｌｖｅｄ  ＣＮ１１１であるという情報が付与される。【００４７】
一方、ステップ１１にてＣＮ１０１からパケット１５がＲＮＣ１０５へ送信される。【００４８】
ＲＮＣ１０５にて、ステップ１０においてＥｖｏｌｖｅｄ  ＣＮ１１１から送信されたパケット１３〜１４と、ステップ１１においてＣＮ１０１から送信されたパケット１５とが受信される。受信されたパケット１３〜１５について、ステップ１２にてＲＮＣ１０５において従来のパケット処理が行われる。この処理には、ｅ  Ｎｏｄｅ  Ｂ１１４にて行われたバッファリングや、秘匿部１２５における秘匿処理も含まれる。【００４９】
その後、パケット１３〜１５は、ステップ１３にてＲＮＣ１０５からＵＥ１２１へ送信される。【００５０】
また、以下の方法も考えられる。【００５１】
図６は、図４に示した移動通信システムにおけるハンドオーバー方法の他の方法を説明するためのシーケンス図である。【００５２】
まず、上位装置（不図示）から送信されたＵＥ１２１宛ての下りデータであるパケット２１〜２４がステップ２１にてＥｖｏｌｖｅｄ  ＣＮ１１１において受信されると、受信されたパケット２１〜２４に対して所定の秘匿処理がステップ２２にて行われる。ここで、パケット２１〜２４には、データの順序を示すためにシーケンシャルに振られたシーケンス番号がそれぞれ付与されている。【００５３】
秘匿処理が完了すると、秘匿処理されたパケット２１〜２４がステップ２３にてＥｖｏｌｖｅｄ  ＣＮ１１１からｅ  Ｎｏｄｅ  Ｂ１１４へ送信される。【００５４】
ｅ  Ｎｏｄｅ  Ｂ１１４にてパケット２１〜２４が受信された後、受信されたパケット２１〜２４がｅ  Ｎｏｄｅ  Ｂ１１４にバッファリングされる。このバッファリングは、上述したものと同様である。【００５５】
そして、ｅ  Ｎｏｄｅ  Ｂ１１４にバッファリングされたパケット２１〜２４のうちパケット２１〜２３がステップ２４にてＵＥ１２１へ送信される。通常、バッファリングされたパケット２１〜２４がＵＥ１２１へ送信されるが、ここでは、動作の説明の便宜上、パケット２１〜２３がＵＥ１２１へ送信され、パケット２４が未送信の時点を例に挙げて説明する。【００５６】
ｅ  Ｎｏｄｅ  Ｂ１１４から送信されたパケット２１〜２３のうち、正常にＵＥ１２１にて受信されたパケットについての送達確認を示す信号であるＡＣＫが、ステップ２５にてＵＥ１２１からｅ  Ｎｏｄｅ  Ｂ１１４へ送信される。このＡＣＫは、上述したものと同様である。また、ここでは、ｅ  Ｎｏｄｅ  Ｂ１１４から送信されたパケット２１〜２３のうち、パケット２１〜２２の送達確認が取れたものとし、パケット２３については何らかの原因でＵＥ１２１にて正常に受信されなかったものとする。【００５７】
また、このとき、Ｂ３Ｇネットワークから３Ｇネットワークへ移動しているＵＥ１２１が、ハンドオーバー状態になったことが、ＵＥ１２１及びｅ  Ｎｏｄｅ  Ｂ１１４にて認識され、ステップ２６にて３Ｇネットワークへの移動（ハンドオーバー）が決定されてハンドオーバー手順が実行される。【００５８】
そして、ＵＥ１２１から送信されてｅ  Ｎｏｄｅ  Ｂ１１４にて受信されたＡＣＫに基づいて、ｅ  Ｎｏｄｅ  Ｂ１１４にバッファリングされているにもかかわらずＵＥ１２１に送達していないパケットが、ｅ  Ｎｏｄｅ  Ｂ１１４のフォワード部１３４にて認識される。フォワード部１３４にてＵＥ１２１に送達されていないと認識されたパケットが、ステップ２７にてフォワード部１３４からＥｖｏｌｖｅｄ  ＣＮ１１１へ送信される。ここでは、ＡＣＫにはパケット２１〜２２がＵＥ１２１にて受信された旨が示されているため、パケット２３〜２４がフォワード部１３４からＥｖｏｌｖｅｄ  ＣＮ１１１へ送信される。その後、ステップ２８にてハンドオーバー手順が完了し、ＵＥ１２１と移動先である３Ｇネットワークとの間において通信が確立される。このハンドオーバー手順については、従来の手順と同様であるため、ここでは詳細は記述しない。【００５９】
フォワード部１３４からＥｖｏｌｖｅｄ  ＣＮ１１１へ送信されたパケット２３〜２４については、ステップ２９にてＥｖｏｌｖｅｄ  ＣＮ１１１の秘匿部１１５において秘匿が解除される。特に、暗号アルゴリズムが秘密鍵方式である場合、この秘匿解除処理には暗号化した鍵がそのまま使用されることが可能である。【００６０】
そして、秘匿が解除されたパケット２３〜２４は、ステップ３０にてＥｖｏｌｖｅｄ  ＣＮ１１１からＣＮ１０１へ送信される。このとき、ＣＮ１０１がＥｖｏｌｖｅｄ  ＣＮ１１１からＵＥ１２１宛てのパケットを受信可能な状態であることが前提である。【００６１】
ＣＮ１０１にて受信されたパケット２３〜２４とフォワーディングされていないパケット２５とが、ステップ３１にてＣＮ１０１からＲＮＣ１０５へ送信される。【００６２】
ＲＮＣ１０５にて、ＣＮ１０１から送信されたパケット２３〜２５が受信され、ステップ３２にて従来のパケット処理が行われる。この処理には、ｅ  Ｎｏｄｅ  Ｂ１１４にて行われたバッファリングや、秘匿部１２５における秘匿処理も含まれる。【００６３】
その後、パケット２３〜２５は、ステップ３３にてＲＮＣ１０５からＵＥ１２１へ送信される。【００６４】
以上により、ＵＥ１２１がＢ３Ｇネットワークから３Ｇネットワークへハンドオーバーする際、Ｂ３Ｇネットワークでの秘匿処理がＥｖｏｌｖｅｄ  ＣＮ１１１にて行われていたとしても、３Ｇネットワークには標準化されている手順に変更を加えることなく動作させることができる。
【図１】
0004678029.tif 000002
【図２】
0004678029.tif 000003
【図３】
0004678029.tif 000004
【図４】
0004678029.tif 000005
【図５】
0004678029.tif 000006
【図６】
0004678029.tif 000007